(57)【要約】【課題】カプセル内視鏡と体外装置を備えた医療装置において、カプセル内視鏡が取得した体内の画像のデータを体外装置まで容易に確実性を増して無線で送信することができる医療装置を提供する。【解決手段】この医療装置１のカプセル内視鏡２は、体内の画像を取得して画像電気信号を出力する画像処理部２１と、該画像電気信号を超音波領域の振動数の搬送波によって変調して変調画像電気信号を出力する変調回路部２３と、該変調画像電気信号を超音波信号に変換して外部に送信する少なくとも１個のカプセル側通信素子２４と、を備えており、体外装置３は、カプセル内視鏡２からの前記超音波信号を受信し該超音波信号を電気信号に変換する少なくとも１個の体外通信素子３１と、該電気信号を復調して復調画像電気信号を出力する復調回路部３２と、該復調画像電気信号から前記画像を再生する画像再生部３３と、を備えている。【選択図】図１
2015043899.tif 000002
【特許請求の範囲】
【請求項１】
カプセル内視鏡と体外装置を備えた医療装置において、
前記カプセル内視鏡は、
体内の画像を取得して画像電気信号を出力する画像処理部と、
該画像電気信号を超音波領域の振動数の搬送波によって変調して変調画像電気信号を出力する変調回路部と、
該変調画像電気信号を超音波信号に変換して外部に送信する少なくとも１個のカプセル側通信素子と、を備えており、
前記体外装置は、
前記カプセル内視鏡からの前記超音波信号を受信し該超音波信号を電気信号に変換する少なくとも１個の体外通信素子と、
該電気信号を復調して復調画像電気信号を出力する復調回路部と、
該復調画像電気信号から前記画像を再生する画像再生部と、を備えていることを特徴とする医療装置。
【請求項２】
請求項１に記載の医療装置において、
前記カプセル内視鏡は、正面視中心点よりも下側に重心が位置しており、少なくとも１個の前記カプセル側通信素子が重心の下側に設けられていることを特徴とする医療装置。
【請求項３】
請求項２に記載の医療装置において、
前記カプセル内視鏡は、筐体の内部に内筐体を有しており、該筐体と該内筐体との間には液体が満たされており、少なくとも１個の前記カプセル側通信素子が該内筐体に取り付けられていることを特徴とする医療装置。
【請求項４】
請求項１〜３のいずれか１項に記載の医療装置において、
前記体外装置は、人体に装着する袋体を備えており、該袋体には液体又は柔軟性材料が満たされており、少なくとも１個の前記体外通信素子が、該袋体における人体への装着面の反対側面に取り付けられていることを特徴とする医療装置。
【請求項５】
請求項１〜４のいずれか１項に記載の医療装置において、
前記体外装置は、前記体外通信素子が複数個設けられており、該複数個の体外通信素子の位置と、それらが受信する前記超音波信号の時間差と、によって前記カプセル内視鏡の位置を検出する位置検出部を備えていることを特徴とする医療装置。
【請求項６】
請求項１〜５のいずれか１項に記載の医療装置において、
前記体外装置は、前記体外通信素子が複数個設けられており、該複数個の体外通信素子が受信する前記超音波信号の搬送波成分の周波数と、前記カプセル内視鏡の前記搬送波の振動数と、のドップラー効果による差を測定して前記カプセル内視鏡の進行方向及び／又は進行速度を検出する進行検出部を備えていることを特徴とする医療装置。
【請求項７】
請求項１〜６のいずれか１項に記載の医療装置において、
前記体外装置は、制御電気信号を発生する制御電気信号発生部と、該制御電気信号を超音波領域の振動数の搬送波によって変調して変調制御電気信号を出力する第２の変調回路部と、を備え、前記体外通信素子の少なくとも１個から第２の超音波信号を送信し、
前記カプセル内視鏡は、前記カプセル側通信素子の少なくとも１個が第２の超音波信号を受信して第２の超音波信号を電気信号に変換し、かつ、その電気信号を復調して復調制御電気信号を出力する第２の復調回路部と、該復調制御電気信号から前記制御電気信号を再生する制御信号再生部と、を備えていることを特徴とする医療装置。
【発明の詳細な説明】
【技術分野】
【０００１】
本発明は、消化管等の体内の画像を取得するカプセル内視鏡と、体外においてその画像を再生する体外装置と、を備えた医療装置に関する。
【背景技術】
【０００２】
近年においては、カプセル内視鏡を用いて消化管等の体内の検査等を行う医療装置が知られている。このような医療装置におけるカプセル内視鏡は、一般に、旧来の内視鏡のように内視鏡を操作するための食道等を通過する管を必要としないために、被検査者への負担が少なくなる。カプセル内視鏡は、これを被検査者が口から飲み込んだ後、胃や腸の蠕動運動により受動的に体内を進行する。また、自走機能を有する場合は、口から飲み込む又は肛門から挿入した後、自ら検査等を行いたいところに移動することができる。このようなカプセル内視鏡は、内蔵の照明器やカメラなどを用いて体内を撮影して画像を取得する。医療装置は、その画像に基づいて体内を検査したり、或いは、カプセル内視鏡に内蔵された採取器を用いて体液や組織などの採取を行ったり、或いは、カプセル内視鏡に内蔵された治療器を用いて治療（例えば、施薬など）を行ったりすることができる。その後、カプセル内視鏡は、肛門から体外に排出される。
【０００３】
このようなカプセル内視鏡は、多くの場合、特許文献１に示すように、電波を用いた無線用のカプセル側通信素子を内蔵し、体外においてカプセル内視鏡が取得した画像を再生する体外装置に画像のデータを送信する。
【先行技術文献】
【特許文献】
【０００４】
【特許文献１】特開２００４−０００６４５号公報
【発明の概要】
【発明が解決しようとする課題】
【０００５】
しかしながら、電波は水分中での減衰が大きく、また、一方、人体は水分によって大部分を占められている。そのため、カプセル内視鏡の位置又は体の厚み等の状態によっては、体内での電波の減衰が大きく、体外装置までの送信が難しくなり、また、体外装置は、電波を受信する高感度かつ高精度の体外通信素子等が必要になる。
【０００６】
本発明は、係る事由に鑑みてなされたものであり、その目的は、カプセル内視鏡と体外装置を備えた医療装置において、カプセル内視鏡が取得した体内の画像のデータを体外装置まで容易に確実性を増して無線で送信することができる医療装置を提供することにある。
【課題を解決するための手段】
【０００７】
上記目的を達成するために、請求項１に記載の医療装置は、カプセル内視鏡と体外装置を備えた医療装置において、前記カプセル内視鏡は、体内の画像を取得して画像電気信号を出力する画像処理部と、該画像電気信号を超音波領域の振動数の搬送波によって変調して変調画像電気信号を出力する変調回路部と、該変調画像電気信号を超音波信号に変換して外部に送信する少なくとも１個のカプセル側通信素子と、を備えており、前記体外装置は、前記カプセル内視鏡からの前記超音波信号を受信し該超音波信号を電気信号に変換する少なくとも１個の体外通信素子と、該電気信号を復調して復調画像電気信号を出力する復調回路部と、該復調画像電気信号から前記画像を再生する画像再生部と、を備えていることを特徴とする。
【０００８】
請求項２に記載の医療装置は、請求項１に記載の医療装置において、前記カプセル内視鏡は、正面視中心点よりも下側に重心が位置しており、少なくとも１個の前記カプセル側通信素子が重心の下側に設けられていることを特徴とする。
【０００９】
請求項３に記載の医療装置は、請求項２に記載の医療装置において、前記カプセル内視鏡は、筐体の内部に内筐体を有しており、該筐体と該内筐体との間には液体が満たされており、少なくとも１個の前記カプセル側通信素子が該内筐体に取り付けられていることを特徴とする。
【００１０】
請求項４に記載の医療装置は、請求項１〜３のいずれか１項に記載の医療装置において、前記体外装置は、人体に装着する袋体を備えており、該袋体には液体又は柔軟性材料が満たされており、少なくとも１個の前記体外通信素子が、該袋体における人体への装着面の反対側面に取り付けられていることを特徴とする。
【００１１】
請求項５に記載の医療装置は、請求項１〜４のいずれか１項に記載の医療装置において、前記体外装置は、前記体外通信素子が複数個設けられており、該複数個の体外通信素子の位置と、それらが受信する前記超音波信号の時間差と、によって前記カプセル内視鏡の位置を検出する位置検出部を備えていることを特徴とする。
【００１２】
請求項６に記載の医療装置は、請求項１〜５のいずれか１項に記載の医療装置において、前記体外装置は、前記体外通信素子が複数個設けられており、該複数個の体外通信素子が受信する前記超音波信号の搬送波成分の周波数と、前記カプセル内視鏡の前記搬送波の振動数と、のドップラー効果による差を測定して前記カプセル内視鏡の進行方向及び／又は進行速度を検出する進行検出部を備えていることを特徴とする。
【００１３】
請求項７に記載の医療装置は、請求項１〜６のいずれか１項に記載の医療装置において、前記体外装置は、制御電気信号を発生する制御電気信号発生部と、該制御電気信号を超音波領域の振動数の搬送波によって変調して変調制御電気信号を出力する第２の変調回路部と、を備え、前記体外通信素子の少なくとも１個から第２の超音波信号を送信し、前記カプセル内視鏡は、前記カプセル側通信素子の少なくとも１個が第２の超音波信号を受信して第２の超音波信号を電気信号に変換し、かつ、その電気信号を復調して復調制御電気信号を出力する第２の復調回路部と、該復調制御電気信号から前記制御電気信号を再生する制御信号再生部と、を備えていることを特徴とする。
【発明の効果】
【００１４】
本発明の医療装置によれば、カプセル内視鏡と体外装置を備えた医療装置において、カプセル内視鏡が取得した周辺部の画像のデータを、超音波信号によって体外装置まで容易に確実性を増して無線で送信することができる
【図面の簡単な説明】
【００１５】
【図１】本発明の実施形態に係る医療装置の構成を示す模式図である。
【図２】同上の医療装置のカプセル内視鏡の構成の概略を示す模式的な側面視断面図である。
【図３】同上の医療装置のカプセル内視鏡の重心を示す模式的な正面視断面図である。
【図４】同上の医療装置のカプセル内視鏡のカプセル側通信素子を複数個設けた２つの場合を示す模式的な正面視断面図である。
【図５】同上の医療装置のカプセル内視鏡の実施形態変形例を模式的に示すもので、（ａ）が正面視断面図、（ｂ）が側面視断面図である。
【図６】同上の医療装置のカプセル内視鏡の更なる実施形態変形例を模式的に示すもので、（ａ）が正面視断面図、（ｂ）が側面視断面図である。
【図７】同上の医療装置の体外装置の体外通信素子を複数個設けた場合を示すもので、（ａ）が側面図、（ｂ）が頭部側から見た側面図である。
【図８】同上の医療装置の体外装置の袋体を設けた場合を示すもので、（ａ）が側面図、（ｂ）が頭部側から見た側面図である。
【図９】同上の医療装置の体外装置の別の袋体を設けた場合を示すもので、（ａ）が側面図、（ｂ）が頭部側から見た側面図である。
【図１０】同上の医療装置の体外装置の体外通信素子を複数個設けた場合の実施形態変形例の構成を示す模式図である。
【図１１】同上の医療装置のカプセル内視鏡制御機能を付加した構成を示す模式図である。
【図１２】同上の医療装置のカプセル内視鏡制御機能を付加したカプセル内視鏡の構成の概略を示す模式的な側面視断面図である。
【発明を実施するための形態】
【００１６】
以下、本発明を実施するため形態について図面を参照しながら説明する。本発明の実施形態に係る医療装置１は、被検査者の体内の検査等を行うもので、図１に示すように、カプセル内視鏡２と体外装置３を備えている。
【００１７】
カプセル内視鏡２は、形状や大きさが特に限定されるものではないが、多くの場合、大略円柱状をなし、その軸方向（長手方向）に進行するものである。カプセル内視鏡２は、自走機能の有無についても特に限定されるものではなく、自走機能を有さず胃や腸の蠕動運動により受動的に体内を進行するだけのものや、自走機能を有して自ら検査等を行いたいところに移動することができるものが含まれる。カプセル内視鏡２は、例えば、直径（軸方向に直交する方向の直径）が１ｃｍ前後程度、軸方向の長さが、自走機能を有さない場合は２．５ｃｍ前後程度、自走機能を有する場合は２．５ｃｍ前後〜４．５ｃｍ前後程度、とすることができる。被検査者は、カプセル内視鏡２を口から飲み込む、又は、自走機能を有する場合は口から飲み込むか肛門から挿入した上で検査等を受ける。カプセル内視鏡２は、被検査者の体内を進行する。
【００１８】
カプセル内視鏡２は、図２に示すように、画像処理部２１を備えている。画像処理部２１は、消化管等の体内におけるカプセル内視鏡２の周辺部に光を照射する照明器２１ａと、体内におけるカプセル内視鏡２の周辺部を撮影するカメラ２１ｂ、などを用いて、体内の画像を取得する。カプセル内視鏡２の前部（図２においては左方）は光が通過できる程度に透明である。また、画像処理部２１は、取得した画像を処理する画像処理回路２１ｃを用いて画像電気信号を出力する。例えば、画像処理回路２１ｃは、取得した画像をデジタル変換し、圧縮処理し、デジタルの画像電気信号を出力することができる。また、カプセル内視鏡２は、画像処理部２１などの各部に電源を供給する電源供給部２２を備えている。
【００１９】
また、カプセル内視鏡２は、変調回路部２３を備えている。変調回路部２３は、振動子２３ａを有しており、この振動子２３ａから直接又は分周して超音波領域の振動数（１６ｋＨｚ以上）の電気信号である搬送波を発生させる。変調回路部２３は、この搬送波によって画像処理部２１が出力する画像電気信号を変調して、変調画像電気信号を出力する。変調方式は、種々の方式が可能であるが、デジタルの画像電気信号を変調するためには、ＤＰＳＫ（Ｄｉｆｆｅｒｅｎｔｉａｌ  Ｐｈａｓｅ  Ｓｈｉｆｔ  Ｋｅｙｉｎｇ）などのデジタル位相変調方式やＭＦＳＫ（Ｍｕｌｔｉ  Ｆｒｅｑｕｅｎｃｙ  ｓｈｉｆｔ  Ｋｅｙｉｎｇ）などのデジタル周波数変調方式が可能である。
【００２０】
また、カプセル内視鏡２は、カプセル側通信素子２４を備えている。カプセル側通信素子２４は、変調回路部２３が出力する変調画像電気信号を超音波信号に変換して外部に送信する。この超音波信号には、画像処理部２１が取得した周辺部の画像のデータが含まれていることになる。カプセル側通信素子２４は、例えば、圧電素子に変調画像電気信号の電圧を印加して機械的に振動させて、超音波信号を発生させるものを用いることができる。
【００２１】
このような構成のカプセル内視鏡２が送信する超音波信号は、胃や腸の中に流入している水分又は臓器や筋肉や血液などを、僅かに減衰しながら通過して行く。この減衰の程度は、電波に比べて遙かに小さい。例えば、１６ｋＨｚ〜１ＭＨｚの範囲における水中での減衰は、超音波信号も電波もともに周波数の増大とともに大きくなるが、電波の減衰が４ｄＢ／ｍ〜３０ｄＢ／ｍ程度であるのに対し、超音波信号の減衰は、０．０００１ｄＢ／ｍ〜０．３ｄＢ／ｍ程度である。なお、人体の臓器や筋肉や血液などの水分は、標準人体の約５０〜６５％を占めるため、人体を伝わる超音波信号の特性は、水中を伝わる超音波の特性に近いものとなる。
【００２２】
従って、超音波信号を用いたカプセル内視鏡２は、体外に至るまで画像のデータを容易に確実性を増して送信することができる。
【００２３】
また、その一方で、超音波信号は、空気など気体中での減衰が非常に大きい。そのため、胃や腸の中に流入している水分が多くない場合、その水分又は直接、臓器壁にカプセル側通信素子２４からの超音波信号が適切に伝わらなければ、体外において超音波信号を受信するのが難しくなる。胃や腸の中に流入している水分が多くない場合でも、その水分又は臓器壁にカプセル側通信素子２４からの超音波信号が伝わり易くする幾つかの構成について以下、述べる。
【００２４】
先ず、図３に示すように、カプセル内視鏡２の重心Ｇを正面視中心点（進行方向から見た中心点）Ｃから一方向側に偏心させて正面視中心点Ｃの下側（重力方向の下側）に位置させ、そして、カプセル側通信素子２４を重心Ｇの更なる一方向側である下側（重力方向の下側）に設けるようにすることができる。こうすると、カプセル側通信素子２４が重力方向の下側に位置するときが安定状態となるため、胃や腸の中において重力方向の下側に溜まっている水分又は臓器壁にカプセル側通信素子２４が接し、超音波信号が伝わることになる。
【００２５】
また、カプセル側通信素子２４を、１個に限らず、図４（ａ）、（ｂ）に示すように、複数個設けるようにすることができる。図４（ａ）は、上側から下側まで所定の間隔でもって複数個（この例では、４個）のカプセル側通信素子２４を設けた場合を示している。図４（ｂ）は、上側にはカプセル側通信素子２４を設けずに、カプセル内視鏡２の重心Ｇを正面視中心点Ｃから一方向側に偏心させて正面視中心点Ｃの下側（重力方向の下側）に位置させ、そして、複数個（この例では、３個）のカプセル側通信素子２４のうち少なくとも１個を重心Ｇの更なる一方向側である下側（重力方向の下側）に設けた場合を示している。このようにすると、周辺部に影響されてカプセル内視鏡２が正面視中心点Ｃの周りを大きく回動しても、いずれかのカプセル側通信素子２４からの超音波信号が胃や腸の中に流入している水分又は臓器壁に伝わることになる。
【００２６】
また、カプセル内視鏡２は、図５に示すように、筐体２ａの内部に内筐体２ｂを有し、筐体２ａと内筐体２ｂとの間に液体（例えば、純水又は生理食塩水など）Ｌを満たすようにし、カプセル側通信素子２４が内筐体２ｂに取り付けられるようにすることができる。また、この場合、カプセル内視鏡２の重心Ｇを正面視中心点Ｃから一方向側に偏心させて正面視中心点Ｃの下側（重力方向の下側）に位置させ、そして、カプセル側通信素子２４のうち少なくとも１個を重心Ｇの更なる一方向側である下側（重力方向の下側）に設けるようにする。カプセル側通信素子２４は、１個であっても又は複数個であってもよい。こうすると、周辺部に影響されてカプセル内視鏡２が正面視中心点Ｃの周りを大きく回動しても、内筐体２ｂはそれに追従せず、カプセル側通信素子２４のうち少なくとも１個は常に重力方向の下側に位置するので、カプセル側通信素子２４からの超音波信号は、筐体２ａと内筐体２ｂとの間の液体Ｌ中を伝わり、筐体２ａを介して、胃や腸の中において重力方向の下側に溜まっている水分又は臓器壁に伝わる。
【００２７】
なお、図５に示したものは、液体Ｌによって内筐体２ｂが支持されることで、内筐体２ｂが筐体２ａに対して相対的に回動可能となるものであるが、内筐体２ｂと筐体２ａの間に、内筐体２ｂを筐体２ａに対して相対的に正面視中心点Ｃの周りを回動可能に支持する支持部（図示せず）を設けてもよい。また、図６に示すように、内筐体２ｂがカプセル側通信素子２４を少なくとも含む一部の部品のみを含むようにして、内筐体２ｂと隔壁２ａ’の間、或いは内筐体２ｂと筐体２ａの間に、内筐体２ｂを筐体２ａに対して相対的に正面視中心点Ｃの周りを回動可能に支持する支持部（図示せず）を設けてもよい。なお、図６は、具体的には、照明器２１ａとカメラ２１ｂを内筐体２ｂよりも外に、それ以外を内筐体２ｂの中に設けた場合を示しており、カメラ２１ｂと画像処理回路２１ｃの間の配線、又は、その配線の周りは、防水構造とする。
【００２８】
次に、体外装置３を説明する。
【００２９】
体外装置３は、図１に示したように、体外通信素子３１を備えている。体外通信素子３１は、カプセル内視鏡２からの超音波信号を受信し、その超音波信号を電気信号に変換する。体外通信素子３１は１個に限らず、図７に示すように複数個設けることができる。
【００３０】
また、体外装置３は、復調回路部３２を備えている。復調回路部３２は、体外通信素子３１において超音波信号から変換された電気信号を復調して復調画像電気信号を出力する。復調方式は、カプセル内視鏡２の変調回路部２３の変調方式に対応する方式である。なお、体外通信素子３１が複数個の場合、超音波信号が最も早く届いた体外通信素子３１からの電気信号を選択するなどして復調することができる。
【００３１】
また、体外装置３は、画像再生部３３を備えている。画像再生部３３は、復調画像電気信号から、画像、すなわち、カプセル内視鏡２で取得された画像を再生する。画像再生部３３は、画像処理回路２１ｃの画像処理方式に対応する方式を用いる。画像再生部３３で再生された画像は、モニター３４に表示することができる。
【００３２】
このようにして画像を再生することにより、その画像に基づいて被検査者の体内の検査を行うことができる。
【００３３】
体外装置３は、体外通信素子３１を直接、人体に装着させてもよいし、或いは、図８及び図９に示すように、人体に装着する袋体３５を設けるようにしてもよい。この袋体３５の中には液体（例えば、水など）又は超音波信号の減衰の少なく柔軟な柔軟性材料が満たされており、少なくとも１個の体外通信素子３１が、袋体３５における人体への装着面３５ａの反対側面３５ｂに取り付けられている。袋体３５は、図８に示すように、人体の周囲に巻き付けるようにするか、或いは、図９に示すように、人体の下方に敷くようにする。このようにすると、カプセル内視鏡２からの超音波信号は、減衰が非常に大きい空気中を介することなく、体外通信素子３１まで伝わることができる。
【００３４】
また、超音波信号を受信する体外通信素子３１が複数個設けられた場合の体外装置３は、以下に述べる特別な機能を有するようにすることができる。
【００３５】
先ず、図１０に示すように、位置検出部３６を備えることで、カプセル内視鏡２の位置（より詳細には、カプセル側通信素子２４の位置）を検出することが可能である。位置検出部３６は、複数個の体外通信素子３１の位置と、それらが受信する超音波信号の時間差と、によってカプセル内視鏡２の位置を検出する。
【００３６】
例えば、カプセル内視鏡２の位置を（Ｘ，Ｙ，Ｚ）、体外通信素子３１の位置を（Ｘｉ，Ｙｉ，Ｚｉ）とする（ここで、ｉはＮ個の体外通信素子に順番に付けた番号を示している）。そうすると、カプセル内視鏡２から体外通信素子３１までの距離Ｌｉは次の式（１）のように表される。
【００３７】
【数１】
2015043899.tif 000003
【００３８】
また、カプセル内視鏡２から体外通信素子３１まで伝わるのに超音波信号が要した時間をＴ＋Ｔｉとする（ここで、Ｔはカプセル内視鏡２から１個の自由に選択された体外通信素子３１まで伝わるのに超音波信号が要した時間、Ｔｉは、その１個の体外通信素子３１とｉ番の体外通信素子３１の間の超音波信号の時間差である）。そうすると、上記距離Ｌは次の式（２）のように表される。
【００３９】
【数２】
2015043899.tif 000004
【００４０】
ここで、ｖは超音波信号の速度であり、予め実測した値（水中での速度１５００ｍ／ｓ程度）を用いればよい。従って、式（１）、（２）から、体外通信素子３１を複数個設ければ、カプセル内視鏡２の位置（Ｘ，Ｙ，Ｚ）を検出できることになる。
【００４１】
位置検出部３６は、具体的には、コンピュータを用いて、数値解法などのプログラムにより、実現することができる。例えば、上記の式（１）、（２）から導いた次の式（３）のΔを最小にするような位置（Ｘ，Ｙ，Ｚ）を求める最小二乗法のプログラムにより、実現することができる。
【００４２】
【数３】
2015043899.tif 000005
【００４３】
このように、超音波信号の速度は、電波の速度（３０万ｋｍ／ｓ））に比べて非常に遅いため、複数個の体外通信素子３１の間で受けた超音波信号に測定可能な時間差が生じ、この時間差と複数個の体外通信素子３１の位置と、によってカプセル内視鏡２の位置を検出することができる。
【００４４】
次に、図１０に示すように、進行検出部３７を備えることで、カプセル内視鏡２の進行方向を検出したり進行速度を検出したりすることが可能である。カプセル内視鏡２が進行しながら超音波信号を送信すると、カプセル内視鏡２の進行方向及び進行速度に応じてドップラー効果が起こり、その超音波信号の搬送波成分の周波数は、カプセル内視鏡２で生成した搬送波の振動数からずれる。進行検出部３７は、複数個の体外通信素子３１が受信するそれぞれの超音波信号の周波数を測定して、カプセル内視鏡２の進行方向及び／又は進行速度を検出する。
【００４５】
例えば、カプセル内視鏡２から静止している体外通信素子３１に向かう方向とカプセル内視鏡２の進行方向との間の角度をθとする。そうすると、体外通信素子３１が受信する超音波信号の搬送波成分の周波数ｆｉは、次の式（４）のように表される。
【００４６】
【数４】
2015043899.tif 000006
【００４７】
ここで、ｆは、カプセル内視鏡２で生成した搬送波の振動数であり、ｕはカプセル内視鏡２の進行速度である。従って、式（４）から、体外通信素子３１を複数個設ければ、カプセル内視鏡２の進行方向及び／又は進行速度を検出できることになる。
【００４８】
以上説明した医療装置１は、更に機能を付加し、第２の超音波信号を用いて体外装置３によってカプセル内視鏡２を制御することも可能である。詳細には、次のようにすることができる。すなわち、体外装置３は、図１１に示すように制御電気信号を発生する制御電気信号発生部３８と、その制御電気信号を超音波領域の振動数の搬送波によって変調して変調制御電気信号を出力する第２の変調回路部３９と、を備え、体外通信素子３１の少なくとも１個から第２の超音波信号を送信する。第２の変調回路部３９は、カプセル内視鏡２の変調回路部２３と同様のものでよいし、また、搬送波は独立の振動子又はコンピュータのシステムクロックなどを用いて様々な手段で発生させることができる。また、第２の超音波信号の周波数は、カプセル内視鏡２から送信される上記の超音波信号の周波数と異なっていても、或いは同じであってもよい。カプセル内視鏡２は、カプセル側通信素子２４の少なくとも１個が第２の超音波信号を受信して第２の超音波信号を電気信号に変換する。カプセル内視鏡２は、また、図１２に示すように、その電気信号を復調して復調制御電気信号を出力する第２の復調回路部２５と、復調制御電気信号から前記制御電気信号を再生する制御電気信号再生部２６と、を備える。再生された制御電気信号は、画像処理部２１などの制御（例えば、カメラ２１ｂの向き等の制御、画像の撮影開始や停止の指示、画像撮影間隔の指示など）を行う。
【００４９】
第２の超音波信号を用いて体外装置３によってカプセル内視鏡２を制御することが可能な医療装置１は、更に、カプセル内視鏡２に採取器を内蔵させることによって、体外装置３の画像再生部３３で再生された画像に基づいて体液や組織などの採取を行ったり、カプセル内視鏡２に治療器を内蔵させることによって、体外装置３の画像再生部３３で再生された画像に基づいて治療（例えば、施薬など）を行ったりすることも可能である。
【００５０】
以上、本発明の実施形態に係る医療装置について説明したが、本発明は、実施形態に記載したものに限られることなく、特許請求の範囲に記載した事項の範囲内での様々な設計変更が可能である。
【符号の説明】
【００５１】
１    医療装置
２    カプセル内視鏡
２１  画像処理部
２１ａ  照明器
２１ｂ  カメラ
２１ｃ  画像処理回路
２２  電源供給部
２３  変調回路部
２３ａ  振動子
２４  カプセル側通信素子
２５  第２の復調回路部
２６  制御電気信号再生部
２ａ  筐体
２ａ’ 隔壁
２ｂ  内筐体
３    体外装置
３１  体外通信素子
３２  復調回路部
３３  画像再生部
３５  袋体
３５ａ  袋体の人体への装着面
３５ｂ  袋体の人体への装着面の反対側面
３６  位置検出部
３７  進行検出部
３８  制御電気信号発生部
３９  第２の変調回路部
Ｃ    カプセル内視鏡の正面視中心点
Ｇ    カプセル内視鏡の重心
Ｌ    液体
【図１】
2015043899.tif 000007
【図２】
2015043899.tif 000008
【図３】
2015043899.tif 000009
【図４】
2015043899.tif 000010
【図５】
2015043899.tif 000011
【図６】
2015043899.tif 000012
【図７】
2015043899.tif 000013
【図８】
2015043899.tif 000014
【図９】
2015043899.tif 000015
【図１０】
2015043899.tif 000016
【図１１】
2015043899.tif 000017
【図１２】
2015043899.tif 000018